(57)【要約】【課題】   子供や老人などの監視を必要とする被監視者を監視するときに、監視者の位置に応じて、すみやかに監視エリアが変更される監視システムを提供する。【解決手段】  監視サーバ１０は、移動通信交換機２２から監視者の携帯電話３０の位置情報を取得し、監視エリアを、監視者の携帯電話３０がいるセル２６の範囲に設定する。また、監視サーバ１０は、移動通信交換機２２から被監視者の携帯電話３１の位置情報を取得し、被監視者の携帯電話３１の位置情報が監視者の携帯電話３０のセル２６内であることを監視する。そして、監視サーバ１０は、被監視者の携帯電話３１の位置情報が、監視者の携帯電話３０がいるセル２６の範囲を逸脱した場合は、監視者の携帯電話３０に警報メッセージを発信する。【選択図】      図１
2006330885.tif 000002
【特許請求の範囲】
【請求項１】
無線通信端末を利用して被監視者を監視する監視方法であって、前記被監視者を監視する監視者の前記無線通信端末の位置情報に基づき、定められた規則に従い監視エリアを設定し、前記被監視者の前記無線通信端末の位置情報が前記監視エリアから逸脱した場合には、前記監視者の前記無線通信端末に警報メッセージを通知することを特徴とする監視方法。
【請求項２】
請求項１に記載の監視方法において、前記監視者および前記被監視者とから構成されるグループを特定するグループ情報を設け、前記被監視者が所持する前記無線通信端末の位置情報が前記監視エリアから逸脱した場合には、前記被監視者と同じ前記グループ情報に属する前記監視者の前記無線通信端末に警報メッセージを通知することを特徴とする監視方法。
【請求項３】
請求項２に記載の監視方法において、前記監視者と同じ前記グループ情報に属する前記被監視者の中から、前記監視者が選択した前記被監視者のみを監視することを特徴とする監視方法。
【請求項４】
請求項１から請求項３のいずれかに記載の監視方法において、前記無線通信端末を携帯電話やＰＨＳとすることを特徴とする監視方法。
【請求項５】
監視者と被監視者とが所持する無線通信端末と、前記無線通信端末を利用して前記被監視者を監視する監視サーバとから構成される監視システムであって、前記監視サーバは、前記監視者の前記無線通信端末の位置情報を取得し、前記監視者の前記無線通信端末の位置情報に基づいて、定められた規則に従い監視エリアを設定する監視エリア設定手段と、前記被監視者の前記無線通信端末の位置情報を取得し、前記被監視者の前記無線通信端末の位置情報が前記監視エリア設定手段が設定する前記監視エリア内であることを監視する監視手段と、前記被監視者の前記無線通信端末の位置情報が、前記監視エリア設定手段が設定する前記監視エリアから逸脱した場合には、前記監視者の前記無線通信端末に警報メッセージを通知する警報通知手段と、を備えることを特徴とする監視システム。
【請求項６】
請求項５に記載の監視システムにおいて、前記監視サーバは、前記監視者および前記被監視者とから構成されるグループごとに、前記グループを特定するグループ情報を記憶し、前記監視エリア設定手段は、前記グループ情報ごとに、前記監視者の前記無線通信端末の位置情報に基づいて前記監視エリアを設定し、前記監視手段は、前記被監視者の前記無線通信端末の位置情報を監視するときは、前記被監視者と同じ前記グループ情報の前記監視エリアを使用し、前記警報通知手段は、前記被監視者と前記グループ情報が同じ前記監視者の前記無線通信端末に警報メッセージを通知することを特徴とする監視システム。
【請求項７】
請求項６に記載の監視システムにおいて、前記監視サーバの前記監視手段は、前記監視者と同じ前記グループ情報に属する前記被監視者の中から、前記監視者が選択した前記被監視者のみを監視する手段を備えていること特徴とする監視システム。
【請求項８】
請求項５から請求項７のいずれかに記載の監視システムにおいて、前記無線通信端末は携帯電話もしくはＰＨＳであって、前記監視エリア設定手段および前記監視手段は、携帯電話もしくはＰＨＳの交換器に問い合わせることで、前記携帯電話の位置情報を取得し、前記監視手段は、前記被監視者の前記無線通信端末の位置情報が、前記監視エリア設定手段が設定する前記監視エリアから逸脱した場合には、前記移動通信交換機に前記警報メッセージの発信を依頼する手段であることを特徴とする監視システム。
【発明の詳細な説明】
【技術分野】
【０００１】
本発明は、携帯電話などの無線通信端末を利用して、老人や子供などの監視を必要とする被監視者を監視する監視システムおよび監視方法に関する。
【背景技術】
【０００２】
高齢化社会の到来や、子供を対象とした犯罪の増加を受けて、携帯電話に代表される無線通信端末を用いて、子供や老人を監視する監視システムが提供されている。
【０００３】
子供や老人を監視する監視システムとしては、特許文献１において、予め監視エリアが設定され、子供や老人などの監視される被監視者がこの監視エリアから逸脱した場合には、家族などの監視者に警報を通知するシステムが開示されている。また、特許文献２においては、上述の機能に加え、被監視者が一定時間内に連続して位置が移動しなかったり、被監視者が一定の速度以上で移動した場合に、監視者に警報を通知するシステムが開示されている。
【０００４】
しかしながら、上述した従来に技術において、監視エリアは、ある固定の場所（例えば、自宅）を基準として定められたエリアであって、監視者と被監視者とが一緒に移動しているにも関わらず、被監視者が監視エリアを逸脱すると、監視者に警報が通知されてしまう問題があった。
【特許文献１】特開２００１-３２５６９２号公報
【特許文献２】特開２００２-２７５２８号公報
【発明の開示】
【発明が解決しようとする課題】
【０００５】
上述した問題を鑑みて、本発明は、子供や老人などの監視を必要とする被監視者を監視するときに、監視者の位置に応じて、すみやかに監視エリアを変更することができる監視方法および監視システムを提供することを目的とする。
【課題を解決するための手段】
【０００６】
上述した課題を解決する第１の発明は、無線通信端末を利用して被監視者を監視する監視方法であって、前記被監視者を監視する監視者が所持する前記無線通信端末の位置情報に基づき、定められた規則に従い監視エリアを設定し、前記被監視者が所持する前記無線通信端末の位置情報が前記監視エリアから逸脱した場合には、前記監視者が所持する前記無線通信端末に警報メッセージを通知することを特徴とする監視方法である。第１の発明によれば、監視者が所持する前記無線通信端末の位置情報に基づいて前記監視エリアを設定することで、監視者が移動した場合においても、移動先に応じて監視エリアを設定できる。
【０００７】
好ましくは、第１の発明において、前記監視者および前記被監視者とから構成されるグループを特定するグループ情報を設け、前記被監視者が所持する前記無線通信端末の位置情報が前記監視エリアから逸脱した場合には、前記被監視者と同じ前記グループ情報に属する前記監視者の前記無線通信端末に警報メッセージを通知することが望ましい。更には、前記監視方法は、前記監視者と同じ前記グループ情報に属する前記被監視者の中から、前記監視者が選択した前記被監視者のみを監視することが望ましい。
【０００８】
前記監視者および前記被監視者とから構成されるグループを特定するグループ情報を設けることで、前記監視者は複数人の前記被監視者を監視できると供に、他のグループに属する被監視者が監視者の監視エリアから逸脱しても、監視者に誤った警報メッセージが通知されることはない。また、前記監視者が前記被監視者を選択できることで、前記監視者が前記被監視者とが別々に行動している場合に、監視者に誤った警報メッセージが通知されることはない。
【０００９】
更に、第１の発明において、前記無線通信端末とは、好ましくは、携帯電話やＰＨＳ（Personal Handy Phone）を意味する。前記無線通信端末を携帯電話とすることで、既存の無線基地局が利用できるため、前記無線通信端末と通信する装置を新規に設置する必要はない。
【００１０】
また、上述した課題を解決する第２の発明は、監視者と被監視者とが所持する無線通信端末と、前記無線通信端末を利用して前記被監視者を監視する監視サーバとから構成される監視システムであって、前記監視サーバは、前記監視者の前記無線通信端末の位置情報を取得し、前記監視者の前記無線通信端末の位置情報に基づいて、定められた規則に従い監視エリアを設定する監視エリア設定手段と、前記被監視者の前記無線通信端末の位置情報を取得し、前記被監視者の前記無線通信端末の位置情報が前記監視エリア設定手段が設定した前記監視エリア内であることを監視する監視手段と、前記被監視者の前記無線通信端末の位置情報が、前記監視エリア設定手段が設定する前記監視エリアから逸脱した場合には、前記監視者の前記無線通信端末に警報メッセージを通知する警報通知手段と、を備えることを特徴とする監視システムである。
【００１１】
好ましくは、第２の発明において、前記監視サーバは、前記監視者および前記被監視者とから構成されるグループごとに、前記グループを特定するグループ情報を記憶し、前記監視エリア設定手段は、前記グループ情報ごとに、前記監視者の前記無線通信端末の位置情報に基づいて前記監視エリアを設定し、前記監視手段は、前記被監視者の前記無線通信端末の位置情報を監視するときは、前記被監視者と同じ前記グループ情報の前記監視エリアを使用し、前記警報通知手段は、前記被監視者と前記グループ情報が同じ前記監視者の前記無線通信端末に前記警報メッセージを通知することが望ましい。
【００１２】
更には、前記監視サーバの前記監視手段は、前記監視者と同じ前記グループ情報に属する前記被監視者の中から、前記監視者が選択した前記被監視者のみを監視する手段を備えていることが望ましい。
【００１３】
更に、好ましくは、第２の発明において、前記無線通信端末は携帯電話もしくはＰＨＳであって、前記監視エリア設定手段および前記監視手段は、携帯電話もしくはＰＨＳの交換機に問い合わせることで、前記携帯電話の位置情報を取得し、前記監視手段は、前記移動通信交換機に前記警報メッセージの発信を依頼する手段であることが望ましい。
【発明の効果】
【００１４】
上述した本発明によれば、子供や老人などの監視を必要とする被監視者を監視するときに、監視者の位置に応じて、すみやかに監視エリアを変更することができる監視方法および監視システムを提供できる。
【発明を実施するための最良の形態】
【００１５】
＜監視システムの説明＞
ここから、本発明に係る監視システムについて、図を参照しながら詳細に説明する。図１は、本発明に係る監視システムを、携帯電話の一つのサービスとして提供するシステムの構成を説明する図である。
【００１６】
図１のシステムは、監視者および被監視者が所持する無線通信端末である携帯電話３０、３１と、無線ネットワーク２５に接続され、携帯電話３０、３１と無線で交信する無線基地局２０（Base Transceiver Station）と、ある無線ネットワークに接続された無線基地局２０を管理する無線ネットワーク制御装置２１（Radio Network Controller）と、無線ネットワーク制御装置２１と接続された移動通信交換機２２（Mobile Switching Center）と、携帯電話の位置情報を管理するホームロケーションレジスタ２３（HLR: Home Location Register）とから構成される携帯電話システムに、本発明に係る監視システムを携帯電話システムの一つのサービスとして提供する監視サーバ１０を設置したシステムである。なお、今後、監視者の携帯電話３０と被監視者の携帯電話３１とを区別しないときは、符号を付けずに携帯電話と記す。
【００１７】
無線基地局２０は、監視者と被監視者が所持する携帯電話と無線で交信する機能を備え、一つの無線基地局２０が携帯電話と交信できる範囲を「セル」と呼ぶ。無線ネットワーク制御装置２１は、携帯電話の所持者が移動し、携帯電話のいるセル２６が変更された場合に、移動先の無線基地局２０に処理を受け渡すなどの無線基地局２０を制御する機能を有する。
【００１８】
移動通信交換機２２は、他のネットワーク（ここでは、公衆電話網２４）からの携帯電話への接続を制御する機能などを有し、移動通信交換機２２は、携帯電話の位置情報を管理するデータベースであるＨＬＲ２３を備える。
【００１９】
携帯電話の電源がＯＮになると、携帯電話と無線基地局２０とが交信し、携帯電話の位置情報は、無線ネットワーク制御装置２１を経由して移動通信交換機２２に送信され、移動通信交換機２２は送信された携帯電話の位置情報をＨＬＲ２３に記憶する。よって、移動通信交換機２２は、ＨＬＲ２３を参照することで、現在、携帯電話がどのセル２６にあるのか、すなわち、携帯電話がどの無線基地局２０と交信しているのかを知ることができる。
【００２０】
監視サーバ１０は、移動通信交換機２２にアクセスすることで監視者および被監視者の携帯電話３１の位置情報を取得し、監視者の携帯電話３０の位置情報に基づいて監視エリアを設定し、被監視者の携帯電話３１がこの監視エリア内にいることを監視する。
【００２１】
本実施の形態において、移動通信交換機２２から監視者の携帯電話３０の位置情報を取得することで、監視エリアは、監視者の携帯電話３０がいるセル２６の範囲（一般的に、半径数ｋｍ）に設定される。監視者が移動し、監視者の携帯電話３０がいるセル２６が変更されると、移動通信交換機２２から取得する監視者の携帯電話３０の位置情報も変更されるため、監視者の移動に伴い、監視エリアも変更される。なお、本実施の形態において、監視エリアは一つのセル２６の範囲に設定されるが、監視サーバ１０は複数のセル２６の範囲から構成される監視エリアを設定してもよい。
【００２２】
そして、監視サーバ１０は、監視者の携帯電話３０がいるセル２６に、被監視者の携帯電話３１もいることを監視する。すなわち、監視サーバ１０は、監視者の携帯電話３０の位置情報と被監視者の携帯電話３１の位置情報とが同一であることを監視する。監視サーバ１０は、監視者の携帯電話３０の位置情報と被監視者の携帯電話３１の位置情報とが異なったとき、すなわち、監視者の携帯電話３０のいるセル２６の範囲から、被監視者の携帯電話３１が逸脱した場合（例えば、被監視者が図１のＡ地点からＢ地点に移動した場合）は、監視者の携帯電話３０に警報メッセージを通知する。
【００２３】
図２は、図１で示した監視システムのブロック図である。説明を分かり易く説明するために、図２では無線基地局２０を一つのみ記載している。実際の監視システムにおいては、図１で示しているように、複数の無線基地局２０が設置されている。
【００２４】
監視サーバ１０には、監視者と被監視者から構成されるグループを特定するグループ情報１４と、監視者の携帯電話３０の位置情報に基づいて監視エリアを設定する監視エリア設定手段１１と、被監視者の携帯電話３１の位置情報を監視する監視手段１３と、監視エリア設定手段１１が設定した監視エリアから被監視者の携帯電話３１の位置情報が逸脱した場合に、監視者の携帯電話３０に警報メッセージを通知する警報通知手段１２とを備える。
【００２５】
グループ情報１４とは、監視者と被監視者から構成されるグループを区別する情報である。このグループ情報１４には、監視者の携帯電話３０の番号と、被監視者の携帯電話３１の番号が記憶されている。監視サーバ１０は、グループ情報１４を参照することで、あるグループに属する監視者の携帯電話３０の番号と、被監視者の携帯電話３１の番号とを取得できるとともに、グループごとに被監視者を監視できる。よって、他のグループに属する被監視者が監視者の監視エリアに居なくても、監視者に誤った警報メッセージが通知されることはない。
【００２６】
監視エリア設定手段１１は、一定時間ごとに移動通信交換機２２に問い合わせ、監視者の位置情報として、ＨＬＲ２３に記憶されている監視者の携帯電話３０の位置情報（例えば、監視者の携帯電話３０がいるセル２６の識別番号）を取得する。監視者の携帯電話３０の位置情報を取得することで、監視エリアは、監視者の携帯電話３０と交信している無線基地局２０のセル２６の範囲（一般的に、半径数ｋｍ）に設定される。
【００２７】
ここで、監視エリアを小さく設定したいときは、監視者と被監視者が所持する無線通信端末をＰＨＳ(Personal Handyphone System)とすれば、監視エリアを、ＰＨＳ用無線基地局のセル２６の範囲（一般的に、半径数百ｍ）に設定できる。
【００２８】
加えて、監視者および被監視者の携帯電話がＧＰＳ(Global Positioning System)の機能を備えていたり、携帯電話の電波の強弱から、セル２６の範囲内の詳細な携帯電話の位置情報を算出する技術などが用いられたりして、移動通信交換機２２が携帯電話の詳細な位置情報を記憶しているときは、監視エリア設定手段１１は、監視者の携帯電話３０の詳細な位置情報を取得し、監視者の携帯電話３０の詳細な位置情報から監視エリアを演算で求めることで、任意の形状の監視エリアを詳細に設定できる。
【００２９】
監視手段１３は、一定時間ごとに移動通信交換機２２に問い合わせ、監視者と同じグループ情報１４に属する被監視者の携帯電話３１の位置情報を取得した後、監視エリア設定手段１１が設定した監視エリア（ここでは、監視者の携帯電話３０の位置情報）と被監視者が所持する携帯電話３１の位置情報とを比較し、被監視者の携帯電話３１の位置情報が監視エリアを逸脱した場合（すなわち、監視者の携帯電話３０と交信している無線基地局２０のセル２６の範囲から、被監視者が逸脱した場合）、警報通知手段１２に警報メッセージを発信するトリガーを入力する。
【００３０】
なお、監視手段１３は、監視者が携帯電話３０を利用して、グループ情報１４に含まれる被監視者の中から、監視する被監視者を選択できる手段を備えていることが望ましい。監視者が被監視者を選択できることで、監視者が被監視者を監視しなくてよいときに、監視者に誤った警報メッセージが通知されることはない。
【００３１】
警報通知手段１２は、監視手段１３からトリガーが入力されると、警報通知手段１２は移動通信交換機２２に、被監視者と同じグループ情報１４に属する監視者の携帯電話３０に警報メッセージの発信を依頼し、警報メッセージは監視者の携帯電話３０に送信され、監視者は被監視者が自分のいるセル２６の範囲を逸脱したことを知ることができる。
【００３２】
＜監視方法の説明＞
ここから、本発明に係る監視方法について説明する。図３は、監視方法の手順を示したフロー図である。監視方法の最初のステップＳ１０は、監視者が所持する無線通信端末の位置情報を取得するステップである。図１で示した監視システムにおいては、監視者が所持する無線通信端末の位置情報として、監視サーバ１０は、監視者の携帯電話３０の位置情報を移動通信交換機２２から取得する。
【００３３】
次のステップＳ１１は、ステップＳ１０で取得した監視者の無線通信端末の位置情報に基づいて、監視エリアを設定するステップである。図１で示した監視システムにおいては、監視サーバ１０は、監視エリアとして監視者の携帯電話３０の位置情報そのものを設定し、監視エリアは、監視者の携帯電話３０と交信している無線基地局２０のセル２６の範囲に設定されたことになる。
【００３４】
次のステップＳ１２は、被監視者の無線通信端末の位置情報を監視し、この位置情報がステップＳ１１で設定した監視エリアから逸脱していないことを確認するステップである。図１で示した監視システムにおいては、監視サーバ１０は被監視者の位置情報を移動通信交換機２２から取得し、監視者の携帯電話３０の位置情報と監視エリア（ここでは、被監視者の携帯電話３１の位置情報）とを比較する。
【００３５】
次のステップＳ１３は処理が分岐されるステップで、被監視者の無線通信端末の位置情報が監視エリアから逸脱していない場合はステップＳ１０に戻り、監視エリアから逸脱している場合はステップＳ１４に進む。
【００３６】
被監視者の無線通信端末の位置情報が監視エリアから逸脱している場合に実行されるステップＳ１４は、監視者が所持する無線通信端末に、被監視者が監視エリアから逸脱したことを示す警報メッセージを通知するステップである。図１の監視システムにおいては、監視サーバ１０は、被監視者の携帯電話３１の位置情報が監視者の携帯電話３０の位置情報と異なった場合に、監視者の携帯電話３０に対して警報メッセージを発信する。
【図面の簡単な説明】
【００３７】
【図１】監視システムが適用された携帯電話システムを説明する図。
【図２】監視システムが適用された携帯電話システムのブロック図。
【図３】監視方法の手順を示したフロー図。
【符号の説明】
【００３８】
１０  監視サーバ
１１  監視エリア設定手段
１２  警報通知手段
１３  監視手段
１４  グループ情報
２０  無線基地局
２１  無線ネットワーク制御装置
２２  移動通信交換機
２３  ホームロケーションレジスタ（HLR: Home Location Register）
２４  公衆電話網
２５  無線ネットワーク
２６  セル
３０  監視者の携帯電話
３１  被監視者の携帯電話
【図１】
2006330885.tif 000003
【図２】
2006330885.tif 000004
【図３】
2006330885.tif 000005